(57)【要約】【課題】基部との接続を主に所定の規格に則した構造が担う表示装置の、基部に対する変位や変形を、防止する。【解決手段】表示装置は、表示部と、操作部と、筐体と、主支持部と、複数の補助支持部とを備える。表示部は、その表面に、情報を表示する。操作部は、前記表示部の表面を覆って設けられ、操作者が触れた位置と当該位置における前記表示部の表示内容とに応じて、操作を受け付ける。筐体は、前記表示部および前記操作部の周囲と前記表示部の裏面側とを少なくとも囲む。主支持部は、所定の規格に則した構造を有し、前記筐体の裏面側の中央部を、所定の基部に対して位置固定に支持する。複数の補助支持部は、前記筐体の裏面側であって前記主支持部に固定されている領域の外側である外周部を、前記基部に対して支える。【選択図】図１
2019105667.tif 000002
【特許請求の範囲】
【請求項１】
表面に情報を表示する表示部と、
前記表示部の表面を覆って設けられ、操作者が触れた位置と当該位置における前記表示部の表示内容とに応じて操作を受け付ける操作部と、
前記表示部および前記操作部の周囲と前記表示部の裏面側とを少なくとも囲む筐体と、
所定の規格に則した構造を有し、前記筐体の裏面側の中央部を所定の基部に対して位置固定に支持する主支持部と、
前記筐体の裏面側であって前記主支持部に固定されている領域の外側である外周部を、前記基部に対して支える複数の補助支持部と、
を備える表示装置。
【請求項２】
前記主支持部は、前記所定の規格としてＶＥＳＡマウントを採用したものである
ことを特徴とする請求項１に記載の表示装置。
【請求項３】
前記補助支持部は、一端部を前記基部に着脱自在に取り付けられ、他端部を前記筐体に触れさせるものであって、
前記一端部は、前記基部に対して、所定領域で位置調整可能に構成されている
ことを特徴とする請求項１または２に記載の表示装置。
【請求項４】
前記一端部の前記基部に対する位置調節可能な所定領域の長手方向は、前記中央部から前記外周部へ向かう方向に沿っている
ことを特徴とする請求項３に記載の表示装置。
【請求項５】
前記筐体は、前記表示部の表示面に対向する位置から見る状態で方形をなし、
前記補助支持部は、前記筐体の前記方形の四隅を含む所定領域と前記基部との間に設けられる
ことを特徴とする請求項１〜４のいずれか１項に記載の表示装置。
【発明の詳細な説明】
【技術分野】
【０００１】
本発明の実施形態は、表示装置に関する。
【背景技術】
【０００２】
近年、表示装置は、当該表示装置が取り付けられる基部に対して、例えばＶＥＳＡマウント（VESA（Video  Electronics  Standards  Association）  mount）のような所定の規格に則した支持構造により、接続されるようになってきている。所定の規格に則した構造は、表示装置と基部との接続部分に、汎用性を提供する。これにより、表示装置の交換や再利用がしやすくなるので、コストを下げる効果が期待できる等の理由で、普及してきている。
【０００３】
また、従来、キオスク端末装置などに用いられている表示装置がある。キオスク端末装置の表示装置は、表面にタッチパネルを備え、店頭などでユーザに様々な情報を案内するとともに、表示内容に応じた操作を受け付ける。
【０００４】
こういったキオスク端末装置の本体部（基部に相当）と表示装置との接続にも、ＶＥＳＡマウントが用いられるようになってきている。ＶＥＳＡマウントは、寸法が異なる複数の種類があり、各種類に、表示装置の大きさや重さの範囲が定められている。
【０００５】
しかしながら、ＶＥＳＡマウントは、表示装置を、大きさおよび重さの観点で支持可能に定めた規格であって、表示装置が操作を受け付ける際の荷重は考慮されていない。また、ＶＥＳＡマウントは、基部に対して、表示装置の裏側中央部を接続するため、表示装置の中央部が操作を受けた場合には大丈夫でも、表示装置の外周に近い領域が操作を受けた場合には、弾性変形や塑性変形してしまうおそれがある。
【０００６】
キオスク端末装置の場合には特に、不特定多数がユーザとなることなどの理由から、装置の構成要素が歪んだり隙間が空いたりしては不都合である。
【発明の概要】
【発明が解決しようとする課題】
【０００７】
本発明が解決しようとする課題は、基部との接続を主に所定の規格に則した構造が担う表示装置の、基部に対する変位や変形を、防止することである。
【課題を解決するための手段】
【０００８】
実施形態の表示装置は、表示部と、操作部と、筐体と、主支持部と、複数の補助支持部とを備える。表示部は、その表面に、情報を表示する。操作部は、前記表示部の表面を覆って設けられ、操作者が触れた位置と当該位置における前記表示部の表示内容とに応じて、操作を受け付ける。筐体は、前記表示部および前記操作部の周囲と前記表示部の裏面側とを少なくとも囲む。主支持部は、所定の規格に則した構造を有し、前記筐体の裏面側の中央部を、所定の基部に対して位置固定に支持する。複数の補助支持部は、前記筐体の裏面側であって前記主支持部に固定されている領域の外側である外周部を、前記基部に対して支える。
【図面の簡単な説明】
【０００９】
【図１】図１は、実施形態の表示装置の外観を示す斜視図である。
【図２】図２は、表示装置の内部構造および補助支持部の支持構造を示す側面図である。
【図３】図３は、補助支持部の支持構造を示す斜視図である。
【図４】図４は、支柱板金の外観を示す斜視図である。
【発明を実施するための形態】
【００１０】
（第１の実施形態）
実施形態について図面を用いて説明する。図１は、本実施形態にかかる表示装置１の外観を示す斜視図である。表示装置１は、表示部２、操作部３、筐体４、主支持部５および補助支持部６を備えている。符号７で示すものは、基部である。基部７は、本体部の一部である。本体部は、例えばキオスク端末装置の本体部であって、キオスク端末装置が最上部に備える表示装置１を除いた部分である。また、本体部がキオスク端末装置の場合、基部７は、一般に、ある程度傾いた斜面状であることが多い。図面では、基部７を上向きに示しているが、実施にあたっては、基部７の向きは問わない。
【００１１】
表示装置１は、例えばキオスク端末装置の最上部に設けられ、キオスク端末装置が設けられた店舗の客などであるユーザ（操作者）から、表示内容に応じた各種操作を受ける。
【００１２】
図２は、表示装置１の内部構造および補助支持部６の支持構造を示す側面図である。表示部２は、例えば液晶パネルなどの表示デバイスであって、表面に、ユーザに向けた情報を表示する。操作部３は、表示部２の表面を覆って設けられている。言い換えると、操作部３は、表示部２に積層されて設けられている。操作部３は、例えばタッチパネルなどの操作デバイスであって、操作者が触れた位置と、当該位置における表示部２の表示内容と、に応じて、操作を受け付ける。
【００１３】
筐体４は、操作部３および表示部２の周囲を囲む外周部４１と、表示部２の裏面を覆う裏面部４２とを有する。裏面部４２は、自身の内面と、表示部２の裏面とで、空間Ｓを形成している。空間Ｓには、表示部２および操作部３の制御を行う基板などが収納されている。
【００１４】
なお、筐体４、表示部２および操作部３は、表示部２の表示面に対向する位置から見る状態で、略方形をなしている。また、筐体４の裏面部４２は、丸みを帯びた形状に形成されている。
【００１５】
主支持部５および補助支持部６は、筐体４の裏面部４２と基部７との間に配置され、基部７に対して位置固定に、表示装置１を支持する。
【００１６】
主支持部５は、所定の規格に則した構造を有している。所定の規格としては、例えばＶＥＳＡマウントがある。本実施形態では、所定の規格として、ＶＥＳＡマウントを採用した場合を例に説明する。また、本実施形態では、表示部２のサイズが１７ないし２１インチの場合を例に説明する。なお、ＶＥＳＡマウントが定める詳細については、説明を省略する。
【００１７】
本実施形態では、表示部２のサイズが１７ないし２１インチであるので、主支持部５は、上記規格に則し、平面視（図中上方から下方を見下ろした状態）において、７５または１００ｍｍ四方の正方形状をなし、正方形の四隅にねじ止めする形態を有する。このような寸法であると、平面視において、表示装置１と主支持部５との、縦または横の長さの比が、２：１や３：１に近くなる。言い換えると、主支持部５は、表示装置１の１／３〜１／２程度の寸法となる。つまり、主支持部５は、表示部２、操作部３および筐体４の、中央部に取り付けられて、これら（表示部２、操作部３および筐体４）を支持していると言える。このため、仮に、表示装置１が補助支持部６を備えず、主支持部５のみによって表示部２、操作部３および筐体４を支持する構造であると、筐体４の裏面部４２の中央部（主支持部５が固定されている領域である第１領域を含む）の外側（外周部）に加わった荷重が、主支持部５回りのモーメントとなる。
【００１８】
ここで、背景を補足する。近年、技術の向上により上記基板の小型化が進んで、以前は表示部２や操作部３に近い大きさであった基板が、表示部２や操作部３の例えば半分よりも小さいなど、表示部２や操作部３に対してかなり小さいものとなってきている。このため、従来期待できた基板由来の剛性を、表示装置１は得られなくなってきている。これにより、表示装置１は、主支持部５のみによる支持では、操作部３（特に外周部）に受ける荷重に耐えることが難しいものとなってきている。
【００１９】
そこで、本実施形態の表示装置１は、上述のモーメントに代表される負荷に抗するため、複数の補助支持部６を備えている。補助支持部６は、裏面部４２の外周部を、基部７に対して支える。外周部は、上述の通り、主支持部５に固定されている第１領域を含む中央部の外側である。
【００２０】
本実施形態では、表示装置１が備える補助支持部６は４つであって、略方形をなす筐体４の四隅または四隅近傍と、基部７との間に設けられている。上述の「四隅または四隅近傍」は、好ましくは、上述の外周部における筐体４の対角線上を含む所定領域（第２領域）である。
【００２１】
図３は、補助支持部６の支持構造を示す斜視図である。補助支持部６は、支柱板金６１と、台座部６２と、ねじ６３とを備えている。台座部６２は、基部７に貼り付けされるなどにより固定されている。
【００２２】
支柱板金６１は、例えば板金に曲げ加工を施すなどにより３つの部分を形成したものであって、第１部分（一端部の一例）６１１、第２部分６１２、および第３部分（他端部の一例）６１３を、有している。第１部分６１１と第２部分６１２とは連続し、間に直角をなしている。第２部分６１２と第３部分６１３とは連続し、間に鈍角をなしている。
【００２３】
図４は、支柱板金６１の外観を示す斜視図である。第１部分６１１は、台座部６２に積層状態で乗せられて、台座部６２および基部７に、ねじ６３により固定される。第２部分６１２は、第１部分６１１や基部７から離れる方向に立ち上がって第３部分６１３へと至る部分である。第３部分６１３は、基部７に対して傾いた斜面６１３ａおよび先端部６１３ｂを有している。支柱板金６１は、斜面６１３ａもしくは先端部６１３ｂによって筐体４に接して、当該筐体４、表示部２および操作部３を支える。
【００２４】
支柱板金６１は、一対の長孔６１４，６１５を有している。長孔６１４，６１５は、第１部分６１１に設けられた孔６１４ａ，６１５ａと、第２部分６１２に設けられた孔６１４ｂ，６１５ｂとが、連続したものである。
【００２５】
ねじ６３は、頭部６３ａを第１部分６１１の上に残して、孔６１４ａ，６１５ａを通って、台座部６２に螺合する。これにより、支柱板金６１が基部７に対して固定される。
【００２６】
ここで、本実施形態において、孔６１４ａ，６１５ａの長手方向は、筐体４の中央部から外周部へ向かう方向に、略沿っている。これにより、台座部６２に対して孔６１４ａ，６１５ａの長手方向沿いに支柱板金６１を変位可能となる。当該変位によって、本実施形態のような丸みを帯びた筐体４に対しても、適切に支持するための補助支持部６の位置決めが、容易となる。
【００２７】
このような構成の表示装置１において、図１に示すように、主支持部５および補助支持部６によって、筐体４、表示部２および操作部３を支える。主支持部５は、筐体４の中央部を支える。補助支持部６は、筐体４の外周部を支える。補助支持部６はまた、基部７に対して一端部が第２領域で位置調節可能であって、他端部を筐体４に触れさせるものである。
【００２８】
操作部３がユーザの操作を受けることで、表示装置１が荷重を受けるが、中央部にある主支持部５と外周部にある補助支持部６とが協同して荷重を負担する。これにより、従来のような主支持部のみが荷重を負担して変形するような不都合を防止することができる。
【００２９】
このように、本実施形態によれば、基部７との接続を主に所定の規格に則した構造（主支持部５）が担う表示装置１の、基部７に対する変位や変形を、防止することができる。これにより、表示装置１の再利用や転用の阻害要因（主支持部５等の変形など）が防がれ、また、表示装置１の寿命の長期化を期待することができる。
【００３０】
なお、本実施形態では、ＶＥＳＡマウントを所定の規格の一例として説明したが、実施にあたっては、他の規格に本実施形態を適用してもよい。
【００３１】
また、本実施形態では、補助支持部６を具体的に図示したが、これは飽くまでも一例であって、補助支持部６は、主支持部５に固定されている第１領域の外側を、基部７に対して支えることが可能な、他の形状を有するものであってよい。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１      …表示装置
２      …表示部
３      …操作部
４      …筐体
４１    …外周部
４２    …裏面部
５      …主支持部
６      …補助支持部
６１    …支柱板金
６１３ａ…斜面
６１３ｂ…先端部
６１４  …長孔
６２    …台座部
７      …基部
【先行技術文献】
【特許文献】
【００３４】
【特許文献１】特表２０１３−５４１１１６号公報
【図１】
2019105667.tif 000003
【図２】
2019105667.tif 000004
【図３】
2019105667.tif 000005
【図４】
2019105667.tif 000006